(57)【要約】【課題】専門的な知識、及び相応の技術が不要であり、華やかなお花を演出するセード（照明器具の笠）を提供する。【解決手段】照明器具１に使用するセード３０において、筒状の外周面を有するセード本体３１と、は合成樹脂でコーティングされて、セード本体３１の外周面３１ａに接着された多数の装飾片３２ｂとを備える。【選択図】図２
2019046601.tif 000002
【特許請求の範囲】
【請求項１】
照明器具に使用するセードにおいて、
筒状の外周面を有するセード本体と、
蝋又は合成樹脂がコーティングされて、前記セード本体の外周面に接着された多数の装飾片と、を備える、
ことを特徴とするセード。
【請求項２】
１枚の前記装飾片は、前記セード本体の外周面に対して、上側に位置する部分が接着され、下側に位置する部分が接着されない、
ことを特徴とする請求項１に記載のセード。
【請求項３】
多数の前記装飾片は、前記セード本体の外周面に、周方向に複数枚、上下方向に複数段接着されている、
ことを特徴とする請求項１又は２に記載のセード。
【請求項４】
前記装飾片が、花びらを模して形成されたものである、
ことを特徴とする請求項１ないし３のいずれかに記載のセード。
【請求項５】
電球と、
前記電球を支える支持台と、
前記電球を覆うセードと、
前記支持台とセードとを連結する連結部材と、を備え、
前記セードが請求項１ないし３のいずれかに記載のセードである、
ことを特徴とする照明器具。
【請求項６】
多数の装飾片を形成する装飾片形成工程と、
セード本体の筒状の外周面に、多数の前記装飾片を接着する接着工程と、
接着された多数の前記装飾片に、蝋又は合成樹脂でコーティングするコーティング工程と、を備える、
ことを特徴とするセードの製造方法。
【請求項７】
前記接着工程において、１枚の前記装飾片は、前記セード本体の外周面に対して、上側に位置する部分が接着され、下側に位置する部分が接着されない、
ことを特徴とする請求項６に記載のセードの製造方法。
【請求項８】
前記接着工程において、多数の前記装飾片は、前記セード本体の外周面に、周方向に複数枚、上下方向に複数段接着されている、
ことを特徴とする請求項６または７に記載のセードの製造方法。
【請求項９】
前記装飾片が、花びらを模して形成されたものである、
ことを特徴とする請求項６ないし８のいずれかに記載のセードの製造方法。
【発明の詳細な説明】
【技術分野】
【０００１】
本発明は、花びら等を模した多数の装飾片を有するセード、照明器具、及びセードの製造方法に関する。
【背景技術】
【０００２】
従来、照明器具に使用されるセード（照明器具の笠）において、押し花が付いたものが知られている（特許文献１，２参照）。
【０００３】
このうち特許文献１のものは、「ランプセード１の形状に切断した和紙等２を設け、その縁まわりなどに肉厚が０．３〜１ｍｍの透明な合成樹脂を幅１〜２ｍｍほどに切断して接着して、骨５としたランプセード１を設け、当該和紙等面に含浸液６を塗布しながら、不飽和ポリエステル樹脂７で押し花８を埋封したランプセード１を設ける。」というものである。
【０００４】
また、特許文献２のものは、「望みのランプに合わせて作成したセード用和紙２枚の間に押し花を挟んで接着し、それをセードとしてそのランプに装着して使用する。同様にして異なる押し花で作ったランプセードを幾つか準備しておき、換えたい時に使用中のものと交換する。」というものである。
【先行技術文献】
【特許文献】
【０００５】
【特許文献１】特開平９−３１４７０５号公報
【特許文献２】特開２００１−３５７７０７号公報
【発明の概要】
【発明が解決しようとする課題】
【０００６】
しかしながら、いずれの従来技術（特許文献１，２）も、セードの出来具合は、押し花の出来具合にかかっているという問題がある。
すなわち、出来の良いセード作るためには、押し花に対する専門的な知識、及び相応の技術が必要であるという問題があった。
【０００７】
本発明は、上述した事情に鑑みてなされたものであり、専門的な知識、及び相応の技術が不要であり、華やかな花びら等を容易に演出するセード（照明器具の笠）、彩鮮やかな光で演出することが可能とな照明器具、及びセードの製造方法を提供することを目的とするものである。
【課題を解決するための手段】
【０００８】
請求項１に係る発明は、照明器具に使用するセードにおいて、筒状の外周面を有するセード本体と、花びらを模して形成され、蝋又は合成樹脂でコーティングされて、前記セード本体の外周面に接着された多数の装飾片と、を備える、ことを特徴とする。
【０００９】
請求項２に係る発明は、請求項１に係るセードにおいて、１枚の前記装飾片は、前記セード本体の外周面に対して、上側に位置する部分が接着され、下側に位置する部分が接着されない、ことを特徴とする。
【００１０】
請求項３に係る発明は、請求項１又は２に係るセードにおいて、多数の前記装飾片は、前記セード本体の外周面に、周方向に複数枚、上下方向に複数段接着されている、ことを特徴とする。
請求項４に係る発明は、請求項１ないし３のいずれかに係るセードにおいて、前記装飾片が、花びらを模して形成されたものである、ことを特徴とする。
【００１１】
請求項５に係る発明は、照明器具において、電球と、前記電球を支える支持台と、前記電球を覆うセードと、前記支持台とセードとを連結する連結部材と、を備え、前記セードが請求項１ないし３のいずれかに係る照明器具である、ことを特徴とする。
【００１２】
請求項６に係る発明は、セードの製造方法において、多数の装飾片を形成する装飾片形成工程と、セード本体の筒状の外周面に、多数の前記装飾片を接着する接着工程と、接着された多数の前記装飾片に、蝋又は合成樹脂でコーティングするコーティング工程と、を備える、ことを特徴とする。
【００１３】
請求項７に係る発明は、請求項６に係るセードの製造方法において、前記接着工程において、１枚の前記装飾片は、前記セード本体の外周面に対して、上側に位置する部分が接着され、下側に位置する部分が接着されない、ことを特徴とする。
【００１４】
請求項８に係る発明は、請求項６または７に係るセードの製造方法において、前記接着工程において、多数の前記装飾片は、前記セード本体の外周面に、周方向に複数枚、上下方向に複数段接着されている、ことを特徴とする。
【００１５】
請求項９に係る発明は、請求項６ないし８のいずれかに係るセードの製造方法において、前記装飾片が、花びらを模して形成されたものである、ことを特徴とする。
【発明の効果】
【００１６】
請求項１の発明によれば、専門的な知識や相応の技術がなくても、セード本体の外周面に多数の装飾片を接着するといった簡単な作業で、装飾片の重なり具合が異なるため、そこを透過する光の量が変化して、一品ごとに異なるセードを作成することができる。
また、蝋又は合成樹脂をコーティングすることにより、重厚感を増して、プロが作成したものと見間違うほどの出来となる。
【００１７】
請求項２の発明によれば、１枚の装飾片は、上側に位置する部分が接着され、下側に位置する部分が接着されないので、下開きになり、その下開き具合が１枚の装飾片ごとに異なることになる。
請求項３の発明によれば、装飾片は、周方向に複数枚、上下方向に複数段接着することにより、例えば、セード本体の外周面を見えなくすることができる。
請求項４の発明によれば、花びらを模して形成されたものであるので、セードが多くの花びらによって形成したようにすることができる。
請求項５の発明によれば、請求項１ないし４のセードとしての効果を、照明器具として奏することができる。
【図面の簡単な説明】
【００１８】
【図１】電気スタンド（照明器具）１の正面図である。
【図２】電気スタンド１のセード３０から装飾片３２を取り外した一部破断正面図である。
【図３】セード本体３１の斜視図である。
【図４】セード本体３１、蝋又は樹脂でコーティングする前の装飾片３２ａ、及び蝋又は樹脂でコーティングした後の装飾片３２ｂを模式的に示す斜視図である。
【図５】装飾片３２ａを説明する図である。
【図６】別の装飾片３３ａを説明する図である。
【図７】セード３０の製造方法を説明する図である。
【発明を実施するための形態】
【００１９】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図６を参照して本発明を適用した実施形態１に係る電気スタンド（照明器具）１について説明する。
【００２０】
ここで、図１は、電気スタンド（照明器具）１の正面図である。また、図２は、電気スタンド１のセード３０から装飾片３２を取り外した一部破断正面図である。また、図３は、セード本体３１の斜視図である。また、図４は、セード本体３１、蝋又は樹脂でコーティングする前の装飾片３２ａ、及び蝋又は樹脂でコーティングした後の装飾片３２ｂを模式的に示す斜視図である。また、図５は、装飾片３２ａを説明する図である。また、図６は、別の装飾片３３ａを説明する図である。
【００２１】
なお、装飾片３２として、花びら、魚の鱗、幾何学的なもの等があるが、以下では、花びらを模したものを使用する場合を中心に話をする。また、照明器具としては、電気スタンド、壁掛け等があるが、以下では、電気スタンド１を中心に話をする。
【００２２】
図１、図２に示すように、電気スタンド１は、電球１０、電球１０を支える支持台２０、電球１０を覆うセード３０、及び支持台２０とセード３０とを連結する連結部材４０を備えている。
【００２３】
電球１０としては、一般的な電球を使用することができる。電球１０は、ガラス部分１１と口金１２とを有していて、ガラス部分１１が上側で口金１２が下側に位置するように取り付けられている。電球１０を天井等に取り付けて使用する場合、つまり、口金１２が上側に位置するように取り付けた場合を「電球１０の正規の向き」とすると、本実施形態では、逆向きで使用している。下側に位置する口金１２を、次に説明する支持台２０の上向きのソケット２１に上方からねじ込んで取り付けている。
支持台２０は、上方からほぼ順に、ソケット２１、ナット部材２２、支持棒２３、及び台座２４を有している。
【００２４】
ソケット２１は、支持棒２３の上端に固定されていて、下半部の大径部２１ａとこれよりも小径の、上半部のおねじ部２１ｂとを有している。ソケット２１のおねじ部２１ｂの内周面には、上述の電球１０の口金１２が上方から螺合されている。
【００２５】
ナット部材２２は、おねじ部２１ｂに、上方から螺合されている。ナット部材２２は、滑り止めとなる多数の縦溝が形成された本体２２ａとこれよりも大径の鍔部２２ｂを有している。ナット部材２２は、おねじ部２１ｂに螺合して、その鍔部２２ｂと、ソケット２１の大径部２１ａとの間に、後述する連結部材４０の環状部４１を挟み込んでいる。
支持棒２３は、中空の棒状に形成されていて、上述のソケット２１を支持するとともに、次に説明する台座２４によって支持されている。
【００２６】
台座２４は、適宜な大きさ及び重量を有しており、電気スタンド１全体を支持している。台座２４は、円盤状に形成されていて、スイッチ付きのコード（不図示）が接続されている。なお、このコードは、台座２４、支持棒２３の中を通って、ソケット２１に接続されている。
【００２７】
セード３０は、筒状の外周面３１ａを有するセード本体３１と、花びらを模して形成され、蝋又は合成樹脂がコーティングされて、セード本体３１の外周面３１ａに接着された多数の装飾片３２とを備えている。
なお、装飾片３２としては、花びらの外に、魚の鱗や幾何学的な形状のものが含まれるものとする。
【００２８】
なお、以下では、蝋又は合成樹脂がコーティングされる前の装飾片３２を「装飾片３２ａ」、これに対し、コーティングされた後の装飾片３２を「装飾片３２ｂ」として区別する。
【００２９】
セード本体３１は、本実施形態では、円筒状の外周面３１ａを有している。セード本体３１は、上端及び下端に円管状の枠体３１ｂ，３１ｃを有し、これらの回りに固めの紙、布等を巻き付けることにより、形成されている。なお、枠体３１ｂ，３１ｃの内側は開口されている。つまり、セード本体３１は、上端及び下端が開口された円筒状に形成されている。セード本体３１は、内部に収納した電球１０に通電した際に、灯が透ける程度の厚さ、材質によって形成されている。
【００３０】
装飾片３２ａとしては、例えば、図５に示すような形状のものを使用する。装飾片３２ａは、例えば、布等を使用し、プレスによって皺等を入れることにより、３次元的に作成することができる。また、プレスによる仕上がりを考慮して、プレス前に、花びらを模して着色しておくとよい。装飾片３２ａをセード本体３１の外周面３１ａに接着する際に、外周面３１ａに対し、上側に位置する部分を部分ａ、下側に位置する部分を部分ｂとすると、本実施形態では、部分ａは接着し、部分ｂは接着しないようにしている。つまり、装飾片３２ａは、上側の部分ａに対し、下側の部分ｂが広がるように接着している。このため、下側の部分ｂの裏側に影ｃができ、この影ｃにより、セード３０全体が深みのあるものとすることができる。
【００３１】
また、本実施形態では、セード本体３１の外周面３１ａに対し、多数の装飾片３２ａを、周方向に複数枚、上下方向に複数段接着するようにしている。さらに、上段の装飾片３２ａは、下段の装飾片３２ａに対して、ほぼ半ピッチずつずらして、魚の鱗のように接着している。
【００３２】
これにより、装飾片３２ａが重なって、外部からセード本体３１の外周面３１ａが見えなくなり、また、各装飾片３２ａの重なり具合によって、セード３０を透過する光量が微妙に異なることになる。
【００３３】
なお、装飾片３２ａは、セード本体３１の外周面にランダムに接着するようにしてもよい。また、周方向に接着する箇所及び上下方向に接着する箇所をあらかじめ大雑把に決めた後、実際に接着する際には、ある程度ランダムに接着するようにしてもよい。このようにランダムに接着する際には、接着する人の個性が強くでて、いわゆる「世界にただ１つ」のセード３０を作り上げることができる。
【００３４】
セード本体３１の外周面３１ａに接着した装飾片３２ａに対して、蝋又は合成樹脂をコーティングして、装飾片３２ｂとする。このコーティングは、筆又はエアーブラシによって行う。コーティングにより、セード全体の重厚感が増すことになる。
【００３５】
なお、コーティング前の装飾片３３ａとしては、例えば、図６に示すような形状の装飾片３３ａを使用することもできる。同図においては、部分ａは、上がわに位置する接着する部分、また、部分ｂは、下側に位置する接着しない部分である。
なお、装飾片３２ａ，３３ａとしては、既存のもの（例えば、既に販売されているもの）を使用することができる。
【００３６】
装飾片３２ａに対して、蝋をコーティングして装飾片３２ｂとする場合は、アロマオイル（植物に由来する天然香料、精油・エッセンシャルオイル、合成香料など）を配合（溶かした蝋とアロマオイルを混ぜ合わせること）してからコーティングを行うことで、香りのする、あるいは香りも楽しめるセード３０に仕上げることが可能である。
【００３７】
連結部材４０は、支持台２０とセード３０とを連結する部材である。連結部材４０は、上述の環状部４１と、この環状部４１を周方向に３等分する脚部４２とを有している。環状部４１は、上述のように、ソケット２１の大径部２１ａと、ナット部材２２の鍔部２２ｂとの間に挟まれている。一方、脚部４２は、この環状部４１と、下の枠体３１ｃとを斜めに連結している。連結部材４０は、支持台２０によって支持されて、セード３０を支持している。
上述したセード３０の効果をまとめる。
【００３８】
・専門的な知識や相応の技術がなくても、セード本体３１の外周面３１ａに多数の装飾片３２ａを接着するといった簡単な作業で、装飾片３２ａの重なり具合が異なるため、そこを透過する光の量が変化して、一品ごとに異なるセード３０を作成することができる。
また、装飾片３２ａに蝋又は合成樹脂をコーティングすることにより、セード３０の重厚感を増して、プロが作成したものと見間違うほどの出来となる。
【００３９】
・１枚の装飾片３２ａは、上側に位置する部分ａが接着され、下側に位置する部分ｂが接着されないので、下開きになり、その下開き具合が１枚の装飾片３２ａごとに異なることになる。
【００４０】
・装飾片３２ａは、周方向に複数枚、上下方向に複数段、そして上段と下段とで互い違いに接着することにより、例えば、セード本体３１の外周面３１ａを見えなくするとともに味わい深いセード３０を作り上げることができる。
以上説明したセード３０は、セード本体３１が円筒状の外周面３１ａを有する場合をせした。
これに代えて、セード本体が、円錐台状、球状、楕円状の外周面を有するものであってもよい。
さらに、セード本体が、三角中、四角柱、五角中、六角中、八角柱等の角柱状の外周面、さらには、これらの角錐台状であってもよい。
ただし、いずれの形状の場合も、上端及び下端には、開口部を有するものとする。
また、照明器具は、載置用として使用される電気スタンドに限るものではなく、壁掛け用、吊下げ用のものであってもよい。
＜実施形態２＞
図７を参照して本発明を適用した実施形態２に係るセードの製造方法について説明する。
ここで、図７は、セードの製造方法を説明する図である。
セードの製造方法は、同図に示すように、装飾片形成工程Ｓ１００、接着工程Ｓ２００、及びコーティング工程Ｓ３００を備えている。
装飾片形成工程Ｓ１００は、花びらを模した多数の装飾片３２ａを形成する工程である。
【００４１】
装飾片３２ａは、上述のように、例えば、布等を使用し、プレスによって皺等を入れることにより、３次元的に作成することができる。また、プレスによる仕上がりを考慮して、プレス前に、花びらを模して着色しておくとよい。
接着工程Ｓ２００は、セード３０において、セード本体３１の外周面３１ａに多数の装飾片３２ａを接着する工程である。
【００４２】
この際、各装飾片３２ａは、セード本体３１の外周面３１ａに対して、上側に位置する部分ａが接着され、下側に位置する部分ｂが接着されないようにするとよい。また、セード３０において、多数の装飾片３２ａは、セード本体３１の外周面３１ａに、周方向に複数枚、上下方向に複数段接着されるようにするとよい。
コーティング工程Ｓ３００は、上述の接着工程Ｓ２００終了後の装飾片３２ａに対して、蝋又は合成樹脂をコーティングして装飾片３２ｂとする工程である。
この際、筆又はエアーブラシを使用する。このコーティングにより、セード３０全体の重厚感が増大する。
【符号の説明】
【００４３】
１      電気スタンド（照明器具）
１０    電球
２０    支持台
３０    セード
３１    セード本体
３１ａ  外周面
３２    装飾片
３２ａ  （蝋又は合成樹脂がコーティングされる前の）装飾片
３２ｂ  （蝋又は合成樹脂がコーティングされた後の）装飾片
４０    連結部材
Ｓ１００  装飾片形成工程
Ｓ２００  接着工程
Ｓ３００  コーティング工程
【図１】
2019046601.tif 000003
【図２】
2019046601.tif 000004
【図３】
2019046601.tif 000005
【図４】
2019046601.tif 000006
【図５】
2019046601.tif 000007
【図６】
2019046601.tif 000008
【図７】
2019046601.tif 000009